(57)【特許請求の範囲】
【請求項１】
複数枚のファンを回転自在に備えた本体と、この本体の上部に固定されたパイプ状の接合管部と、この接合管部の上部に固定された球状のジョイント部と、このジョイント部の下面を着脱可能に支持する本体吊下金具と、この本体吊下金具に固定され、天井に取付けられる固定金具と、一端が前記本体に固定され他端に引掛部を備えた落下防止ワイヤと、前記固定金具に固定された落下防止ワイヤ取付具とを有し、この落下防止ワイヤ取付具は前記落下防止ワイヤの引掛部が掛着可能となるワイヤ掛着部を備えてなる天井扇風機。
【請求項２】
落下防止ワイヤ取付具は、天井に取付可能な天井固定部を備えてなる請求項１記載の天井扇風機。
【請求項３】
落下防止ワイヤ取付具の天井固定部と天井との間に挿入可能な補助部材を備えた請求項２に記載の天井扇風機。
【請求項４】
落下防止ワイヤ取付具は、固定金具に仮止め可能な仮固定部を有してなる請求項１〜３のいずれかに記載の天井扇風機。
【請求項５】
ジョイント部に落下防止ワイヤを仮固定できるワイヤ取付部を設け、前記ジョイント部を本体吊下金具に装着することにより、前記落下防止ワイヤに設けた引掛部が落下防止ワイヤ取付具に設けたワイヤ掛着部に掛着可能とした請求項１〜４のいずれかに記載の天井扇風機。
【請求項６】
落下防止ワイヤ取付具に設けたワイヤ掛着部は、先端が大なるワイヤ抜け防止部を備えた請求項１〜５のいずれかに記載の天井扇風機。
【請求項７】
落下防止ワイヤ取付具に設けたワイヤ掛着部を、本体吊下金具の外側に設けた請求項１〜６のいずれかに記載の天井扇風機。
【請求項８】
本体吊下金具内を横断する位置に、落下防止ワイヤ取付具の案内部を配置し、この案内部に嵌合して摺動する案内溝部をジョイント部に形成してなる請求項１〜７のいずれかに記載の天井扇風機。
【請求項９】
落下防止ワイヤ取付具の案内部は下向きの傾斜を備えた請求項８に記載の天井扇風機。
【請求項１０】
落下防止ワイヤ取付具の案内部とジョイント部の案内溝部は、前記ジョイント部の中心外側に位置してなる請求項８〜９のいずれかに記載の天井扇風機。
【請求項１１】
本体吊下金具の凹球面に回り防止突起部を備え、ジョイント部は前記回り防止突起部が嵌合する回り防止溝部を備え、前記ジョイント部を前記本体吊下金具に装着するときに、前記回り防止突起部に前記回り防止溝部が嵌合する位置で、前記ジョイント部と当接する位置決め部を落下防止ワイヤ取付具に形成してなる請求項８〜１０のいずれかに記載の天井扇風機。
【請求項１２】
ジョイント部は案内溝部に取付方向を示す表示を施した請求項８〜１１のいずれかに記載の天井扇風機。
【発明の詳細な説明】
【技術分野】
【０００１】
本発明は、天井面にねじ止め固定した取付金具に取り付ける天井扇風機に関するものである。
【背景技術】
【０００２】
従来、この種の天井扇風機は落下防止用のワイヤを取付金具に固定するものが知られている（例えば特許文献１参照）。
【０００３】
以下、その天井扇風機について図２２および図２３を参照しながら説明する。
【０００４】
図に示すように、天井面１０８の裏側に設けた電装ボックス１０７内に補助金具１０１をセットし、取付金具１０４を小ねじ１０５およびボルト１０６，ナット１０３で強固に固定することにより、ねじ類の緩みを防ぎ、ワイヤ１０２が補助金具１０１と取付金具１０４を連結して天井扇風機（図示せず）の落下を防止する。また、ワイヤ１０２を取付金具１０４の溝部２０１に引っ掛け、取付金具１０４を電装ボックス１０７の下部で固定するものである。
【特許文献１】特開平６−８８５９６号公報
【発明の開示】
【発明が解決しようとする課題】
【０００５】
このような従来の天井扇風機では、本体の設置工事において落下防止ワイヤの取り付け忘れが生じる場合や、また取付された場合でも不確実に取り付けられる場合には、ワイヤによる安全性が確保されず、また落下防止ワイヤの施工性も改善の余地があるという課題がある。
【０００６】
本発明は、このような従来の課題を解決するものであり、落下防止ワイヤの施工性が良く、取り付け忘れや不確実な取り付けが起こらないようにするとともに、天井扇風機の吊り下げ部品の脱落や破損があっても、天井扇風機本体の落下に対する安全性が確保される天井扇風機を提供することを目的とする。
【課題を解決するための手段】
【０００７】
本発明の天井扇風機は、上記目的を達成するために、複数枚のファンを回転自在に備えた本体と、この本体の上部に固定されたパイプ状の接合管部と、この接合管部の上部に固定された球状のジョイント部と、このジョイント部の下面を着脱可能に支持する本体吊下金具と、この本体吊下金具に固定され、天井に取付けられる固定金具と、一端が前記本体に固定され他端に引掛部を備えた落下防止ワイヤと、前記固定金具に固定された落下防止ワイヤ取付具とを有し、この落下防止ワイヤ取付具は前記落下防止ワイヤの引掛部が掛着可能となるワイヤ掛着部を備えたものである。
【０００８】
また、他の手段は、落下防止ワイヤ取付具は、天井に取付可能な天井固定部を備えたものである。
【０００９】
また、他の手段は、落下防止ワイヤ取付具の天井固定部と天井との間に挿入可能な補助部材を備えたものである。
【００１０】
また、他の手段は、落下防止ワイヤ取付具は、固定金具に仮止め可能な仮固定部を有してなるものである。
【００１１】
また、他の手段は、ジョイント部に落下防止ワイヤを仮固定できるワイヤ取付部を設け、前記ジョイント部を本体吊下金具に装着することにより、前記落下防止ワイヤに設けた引掛部が落下防止ワイヤ取付具に設けたワイヤ掛着部に掛着可能としたものである。
【００１２】
また、他の手段は、落下防止ワイヤ取付具に設けたワイヤ掛着部は、先端が大なるワイヤ抜け防止部を備えたものである。
【００１３】
また、他の手段は、落下防止ワイヤ取付具に設けたワイヤ掛着部を、本体吊下金具の外側に設けたものである。
【００１４】
また、他の手段は、本体吊下金具内を横断する位置に、落下防止ワイヤ取付具の案内部を配置し、この案内部に嵌合して摺動する案内溝部をジョイント部に形成してなるものである。
【００１５】
また、他の手段は、落下防止ワイヤ取付具の案内部は下向きの傾斜を備えたものである。
【００１６】
また、他の手段は、落下防止ワイヤ取付具の案内部とジョイント部の案内溝部は、前記ジョイント部の中心外側に位置してなるものである。
【００１７】
また、他の手段は、本体吊下金具の凹球面に回り防止突起部を備え、ジョイント部は前記回り防止突起部が嵌合する回り防止溝部を備え、前記ジョイント部を前記本体吊下金具に装着するときに、前記回り防止突起部に前記回り防止溝部が嵌合する位置で、前記ジョイント部と当接する位置決め部を落下防止ワイヤ取付具に形成してなるものである。
【００１８】
また、他の手段は、ジョイント部は案内溝部に取付方向を示す表示を施したものである。
【００１９】
これにより、落下防止ワイヤの施工性が良く、取り付け忘れや不確実な取り付けが起こらないようにするとともに、天井扇風機の吊り下げ部品の脱落や破損があっても、天井扇風機本体の落下に対する安全性が確保される天井扇風機が得られる。
【発明の効果】
【００２０】
本発明によれば、本体吊下金具に吊り下げられた本体は、落下防止ワイヤと落下防止ワイヤ取付具と固定金具とにより、確実に天井に固定されることが可能となり、天井扇風機の吊り下げ部品の脱落、破損にともなう天井扇風機本体の落下に対する安全性を確保し、また、落下防止ワイヤの施工性が向上するという効果のある天井扇風機を提供することができる。
【００２１】
また、落下防止ワイヤ取付具は、天井に取付可能な天井固定部を備えたことにより、天井に直接的に固定されることが可能となり、天井扇風機本体の落下に対する安全性が向上する。
【００２２】
また、引掛シーリングのある天井面にアダプターを介して天井扇風機が設置されるときにも、落下防止ワイヤ取付具の天井固定部と天井との間に補助部材を挟んで落下防止ワイヤ取付具を天井に直接固定することができるので、本体は落下防止ワイヤと落下防止ワイヤ取付具とにより、天井に確実に固定することができる。
【００２３】
また、落下防止ワイヤ取付具と固定金具を仮止めすることにより、固定金具が天井から脱落した場合でも、固定金具は容易に落下防止ワイヤ取付具から外れるので、落下防止ワイヤ取付具により本体の落下を防ぐことができる。
【００２４】
また、落下防止ワイヤ取付具のワイヤ掛着部がジョイント部の挿入口である本体吊下金具の開口側に向いていることで、本体を設置しながらの落下防止ワイヤ取り付けが容易にできる。
【００２５】
また、落下防止ワイヤ取付具のワイヤ掛着部は先端が大なるワイヤ抜け防止部を備えたことにより、本体設置時には容易に落下防止ワイヤを掛着でき、また掛着した後には落下防止ワイヤが外れるのを防止することができる。
【００２６】
また、落下防止ワイヤ取付具のワイヤ掛着部を本体吊下金具の外側に設けたことにより、ワイヤ掛着部が本体吊下具の開口部よりも手前にあるために、落下防止ワイヤの掛着の状況を外観から容易に確認できる。
【００２７】
また、落下防止ワイヤ取付具に案内部を設け、この案内部に摺動可能な案内溝部をジョイント部に備えたことにより、本体を取り付けるときに、落下防止ワイヤ取付具にジョイント部を嵌合しつつ水平方向に摺動させることができるので、施工性を向上させることができる。
【００２８】
また、落下防止ワイヤ取付具の案内部に傾斜を設けたことにより、天井扇取付け位置より少し離れた場所から、斜め下方に摺動して取り付けることができ、設置作業を容易にすることができる。
【００２９】
また、落下防止ワイヤ取付具の案内部と、ジョイント部の案内溝部がジョイント部の中心より外側に位置しているので、正常な方向からのみジョイント部を装着することができ、さらにこの装着により、落下防止ワイヤの引掛部が落下防止ワイヤ取付具のワイヤ掛着部に確実に掛着することができる。
【００３０】
また、本体取り付けのときに、案内部に設けられた位置決め部により、ジョイント部の回り防止溝部と本体吊下金具の回り防止突起部が嵌合する向きで止まり、確実にジョイント部と凹球面部を嵌合させ設置することができ、取付時の施工性を向上させることができる。
【００３１】
また、ジョイント部は案内溝部に取り付け方向を示す表示を印字または成型により施したことにより、取付方向の間違いを防いで、ジョイント部と本体吊下具を確実に嵌合させることができる。
【発明を実施するための最良の形態】
【００３２】
本発明の請求項１記載の天井扇風機は、複数枚のファンを回転自在に備えた本体と、この本体の上部に固定されたパイプ状の接合管部と、この接合管部の上部に固定された球状のジョイント部と、このジョイント部の下面を着脱可能に支持する本体吊下金具と、この本体吊下金具に固定され、天井に取付けられる固定金具と、一端が前記本体に固定され他端に引掛部を備えた落下防止ワイヤと、前記固定金具に固定された落下防止ワイヤ取付具とを有し、この落下防止ワイヤ取付具は前記落下防止ワイヤの引掛部が掛着可能となるワイヤ掛着部を備えたものであり、本体設置時にジョイント部の上端の開口部から出た落下防止ワイヤを、天井に取付けられた固定金具に固定された落下防止ワイヤ取付具のワイヤ掛着部に掛着されることにより、本体は落下防止ワイヤと落下防止ワイヤ取付具と固定金具とにより、天井と固定することとなり、天井扇風機の吊り下げ部品の脱落、破損対しても天井扇風機本体を安全に吊り下げることができ、また落下防止ワイヤの装着は、設置作業時に、本体設置時にジョイント部の上端の開口部から出た落下防止ワイヤを、天井に取付けられた固定金具に固定された落下防止ワイヤ取付具のワイヤ掛着部に掛着する作業だけであるため、落下防止ワイヤの取り付け作業を容易に行うことができるという作用を有する。
【００３３】
また、落下防止ワイヤ取付具は、天井に取付可能な天井固定部を備えてなるものであり、落下防止ワイヤ取付具が天井面に直接固定されことで、本体は落下防止ワイヤと落下防止ワイヤ取付具とにより、天井に確実に固定されることとなり、固定金具の脱落による本体落下を防止することができるという作用を有する。
【００３４】
また、落下防止ワイヤ取付具の天井固定部と天井との間に挿入可能な補助部材を備えたものであり、引掛シーリングのある天井面にアダプターを介して固定金具が設置されるときにも、落下防止ワイヤ取付具の天井固定部と天井との隙間に補助部材を挟んで落下防止ワイヤ取付具を天井に直接固定することができるので、本体は落下防止ワイヤと落下防止ワイヤ取付具とにより、天井と固定することとなり、固定金具の脱落に対して本体の落下を確実に防止できるという作用を有する。
【００３５】
また、落下防止ワイヤ取付具は、固定金具に仮止め可能な仮固定部を有してなるものであり、固定金具が天井から脱落時には、本体は落下防止ワイヤと落下防止ワイヤ取付具とにより、天井と固定されているために落下しないが、落下防止ワイヤ取付具の仮固定部により、固定金具は脱落時に落下防止ワイヤ取付具から外れるので、固定金具の天井からの脱落の影響を少なくして、本体を確実に天井に固定することができ、また出荷時から落下防止ワイヤ取付具と固定金具を挟持させ一体の部品としておくことで、固定金具を天井に取り付けるときに、同時に落下防止ワイヤ取付具を天井に取り付けできるので、取り付け忘れがなく、確実かつ容易に施工できるという作用を有する。
【００３６】
また、ジョイント部に落下防止ワイヤを仮固定できるワイヤ取付部を設け、ジョイント部を本体吊下金具に装着することにより、落下防止ワイヤに設けた引掛部が落下防止ワイヤ取付具に設けたワイヤ掛着部に掛着可能としたものであり、落下防止ワイヤ取付具のワイヤ掛着部がジョイント部の挿入口である本体吊下金具の開口側に向いていることで、落下防止ワイヤをジョイント部に仮固定でき、本体を設置しながら落下防止ワイヤの取り付けが簡単にできるという作用を有する。
【００３７】
また、落下防止ワイヤ取付具に設けたワイヤ掛着部は、先端が大なるワイヤ抜け防止部を備えたものであり、ワイヤ抜け防止部をもつワイヤ掛着部には、本体設置時には容易に落下防止ワイヤを掛着させることができるとともに、掛着した後には落下防止ワイヤが簡単に外れることはないという作用を有する。
【００３８】
また、落下防止ワイヤ取付具に設けたワイヤ掛着部を、本体吊下金具の外側に設けたものであり、落下防止ワイヤ取付具のワイヤ掛着部が本体吊下具の開口部よりも手前にあるために、落下防止ワイヤの掛着の有無を外観により容易に確認できるという作用を有する。
【００３９】
また、本体吊下金具内を横断する位置に、落下防止ワイヤ取付具の案内部を配置し、この案内部に嵌合して摺動する案内溝部をジョイント部に形成してなるものであり、本体取付けのときに、落下防止ワイヤ取付具とジョイント部を嵌合させつつ所定方向に案内して摺動させることができるので、挿入方向に対して左右にぶれないように最短距離で装着できるという作用を有する。
【００４０】
また、落下防止ワイヤ取付具の案内部は下向きの傾斜を備えたものであり、落下防止ワイヤ取付具に設けられた案内部に傾斜を設けることで、天井扇取付け位置より少し離れた場所から、本体下部を中心にしてジョイント部を回転するように装着できるので、設置作業が容易にできるという作用を有する。
【００４１】
また、落下防止ワイヤ取付具の案内部とジョイント部の案内溝部は、前記ジョイント部の中心外側に位置してなるものであり、落下防止ワイヤ取付具の案内部と、ジョイント部の案内溝部がジョイント部の中心より外側に位置しているので、落下防止ワイヤ取付具の案内部とジョイント部の案内溝部を嵌合させなければ、本体が設置できないため、常に同じ向きでの本体挿入を促すことができるという作用を有する。
【００４２】
また、本体吊下金具の凹球面に回り防止突起部を備え、ジョイント部は前記回り防止突起部が嵌合する回り防止溝部を備え、前記ジョイント部を前記本体吊下金具に装着するときに、前記回り防止突起部に前記回り防止溝部が嵌合する位置で、前記ジョイント部と当接する位置決め部を落下防止ワイヤ取付具に形成してなるものであり、本体取り付けのときに、ジョイント部の案内溝部と落下防止ワイヤ取付具の案内部を嵌合させて摺動させると、案内部に設けられた位置決め部により、ジョイント部が取り付け位置である凹球面部の直上で、ジョイント部の回り防止溝部と本体吊下金具の回り防止突起部が嵌合する向きで止まり、容易にかつ確実にジョイント部と凹球面部を嵌合させ設置することができるという作用を有する。
【００４３】
また、ジョイント部は案内溝部に取付方向を示す表示を施したものであり、取付方向を示す印字または一体成型による表示により、取付方向が容易に理解できるという作用を有する。
【００４４】
以下、本発明の実施の形態について、図面を参照しながら説明する。
【００４５】
（実施の形態１）
図１〜図１７示すように、本体１の上部周囲には回動自在に複数枚のファン２を、本体の上部中心部分には上方向に突出したパイプ状の固定軸３を設けている。この固定軸３の上部側面には貫通孔４を設け、この貫通孔４を介して固定軸３の外側にボルトナット５により、接合管部であるパイプ６の下部側面の貫通孔７と固定される。このパイプ６の上部側面に設けた貫通孔８を介して、球状のジョイント部であるボールジョイント９がハンガーピン１０によって固定される。ボールジョイント９は、中心を通る垂直方向に設けた貫通孔１１に下からパイプ６を通したあと、パイプ６の上部側面の貫通孔８にハンガーピン１０を通し固定する。すなわち、本体１はパイプ６を介してボールジョイント９と略一体に固定される。
【００４６】
天井１６には円盤状の固定金具１５が木ねじで固定され、下方に凸状の本体吊下金具１２は固定金具１５にねじ止め固定されている。本体吊下金具１２は、底面に貫通孔を有した凹球面１３を設け、本体１に設けたボールジョイント９は、本体吊下金具１２の凹球面１３に着脱自在に装着されるものである。本体吊下金具１２の側面に設けた２つの立ち上がり上部には外側に９０度曲げられた曲部１４を設け、曲部１４を介して円盤状の固定金具１５にネジで締結されている。このように、本体吊下金具１２と固定金具１５がネジで締結されることにより、ボールジョイント９が装着される装着空間（図示せず）が本体吊下金具１２と固定金具１５の間に囲まれて形成されている。
【００４７】
また、装着空間の上部には、本体吊下金具１２とは別に落下防止ワイヤ取付具１７が仮固定部１８で固定金具１５に仮止めされている。落下防止ワイヤ取付具１７は、板金を打ち抜き、さらに折り曲げ加工したもので、ボールジョイント９の挿入側から順次、第１の垂直板部１９、第１の垂直板部１９、第１の水平板部２０、第２の垂直板部２１、第２の水平板部２２、第３の垂直板部２３を備えている。仮固定部１８は、第１の垂直板部１９と第３の垂直板部２３の上部に内側で下向きに設けた逆Ｌ形の突起部２４と、突起部２４の下部内側に設けた半球状の突起片２５で形成されている。
【００４８】
固定金具１５には周囲２箇所に長方形の孔２６を設けている。固定金具１５を第１の垂直板部１９と第３の垂直板部２３の上部に内側で下向きに設けたＬ形の突起部２４と、Ｌ形の突起部２４の下部の内側に設けた半球状の突起片２５で挟み込んで、固定金具１５の長方形の孔２６にＬ形の突起部２４を嵌合させることにより、落下防止ワイヤ取付具１７が仮止めされている。
【００４９】
また、第１の水平板部１９に対し、直角かつ水平方向に第１の垂直板部１９から第３の水平板部２７を設け、第３の水平板部２７の他端から内側へ下向きに、第１の水平板部１９に対し並行にコの字状のワイヤ掛着部２８を設けている。このワイヤ掛着部２８の先端にはワイヤ抜け防止部２９を設け、このワイヤ抜け防止部２９は、先端が大なる返り部３０を設けている。なお、ワイヤ掛着部２８は本体吊下金具１２の外側に露出して設けられている。
【００５０】
また、落下防止ワイヤ取付具１７は天井１６に取付可能な天井固定部３１を有し、天井固定部３１である第５の水平板部３２は、第１の垂直板部１９と第３の垂直板部２３の上端から外側に水平方向に各々設けている。各々の第４の水平板部３２には、貫通孔３３を設けている。落下防止ワイヤ取付具１７の天井固定部３１と天井との隙間には、取付可能な補助部材であるスペーサー３４を介し、天井１６に木ねじ３５で固定されている。すなわち、落下防止ワイヤ取付具１７はワイヤ掛着部２８を備え、固定金具１５に仮止めされた状態で、スペーサー３４を介し、天井に固定される。
【００５１】
また、一端が本体に固定されている落下防止ワイヤ３６は、接合管部であるパイプ６の内部を通って他端に引掛部３７を備え、引掛部３７はワイヤで輪を形成している。ボールジョイント９には落下防止ワイヤ３６が仮固定できるワイヤ取付部３８を設けている。このワイヤ取付部３８は、ボールジョイント９の中心を通る垂直方向の貫通孔１１に設けられ、スリット３９を形成している。このスリット３９に、落下防止ワイヤ３６の引掛部３７が装着されている。また、ボールジョイント９の上部には、案内溝部４０を設けている。この案内溝部４０は、ボールジョイント９が装着空間を通り、本体吊下金具１２の凹球面１３に装着されるときに、落下防止ワイヤ取付具１７の案内部である第１の水平板部１９が摺動する溝である。そして、ボールジョイント９の案内溝部４０を落下防止ワイヤ取付具１７の案内部である第１の水平板部１９に嵌合させながら、本体吊下金具１２の凹球面１３にボールジョイント９が装着されると同時に、ボールジョイント９のワイヤ取付部３８に仮固定されている落下防止ワイヤ３６の引掛部３７が落下防止ワイヤ取付具１７のワイヤ掛着部２８に装着される。すなわち、ボールジョイント９が装着空間を通り、本体吊下金具１２に装着されると同時に、本体１は落下防止ワイヤ３６、および落下防止ワイヤ取付具１７を介して天井１６に固定される構成としている。
【００５２】
上記構成により、落下防止ワイヤ取付具１７は落下防止ワイヤ３６の引掛部３７が掛着可能なワイヤ掛着部２８を備えたことで、本体１設置時にボールジョイント９の上端の開口部から出た落下防止ワイヤ３６を、天井１６に取付けられた固定金具１５に固定された落下防止ワイヤ取付具１７のワイヤ掛着部２８に掛着されることにより、本体１は落下防止ワイヤ３６と落下防止ワイヤ取付具１７と固定金具１５とにより、天井１６に固定されることとなり、それにより、天井扇風機の吊り下げ部品の脱落や破損に対しても天井扇風機本体を安全に吊り下げることができる。
【００５３】
また、落下防止ワイヤ取付具１７は、天井１６に取付可能な天井固定部３１を備えたことで、落下防止ワイヤ取付具１７が天井面に直接固定され、本体１は落下防止ワイヤ３６と落下防止ワイヤ取付具１７とにより、天井１６に固定できることとなり、天井面から固定金具１５が脱落する場合でも本体１を天井面に安全に吊り下げて保つことができる。
【００５４】
また、落下防止ワイヤ取付具１７の天井固定部３１と天井１６との間に取り付け可能な補助部材であるスペーサー３４を備えることで、引掛シーリング４１のある天井面にアダプター４２を介して固定金具１５が設置されるときにも、落下防止ワイヤ取付具１７の天井固定部３１と天井１６との間にスペーサー３４を挟んで、落下防止ワイヤ取付具１７を天井１６に直接固定することができるので、本体１は落下防止ワイヤ３６と落下防止ワイヤ取付具１７とにより、天井１６と固定することとなり、天井面から固定金具１５が脱落する場合でも本体１を天井面に吊り下げて安全に保つことができる。
【００５５】
また、落下防止ワイヤ取付具１７は仮固定部１８にて固定金具１５に仮止めすることにより、固定したねじの緩みなどで固定金具１５が天井１６から脱落するようなときには、落下防止ワイヤ取付具１７は固定金具１５から外れて残ることになり、本体１は落下防止ワイヤ３６と落下防止ワイヤ取付具１７とにより、天井１６と固定されて保持されることになる。また出荷時から落下防止ワイヤ取付具１７と固定金具１５を挟持させ一体の部品としておくことで、固定金具１５を天井１６に取り付けと同時に、落下防止ワイヤ取付具１７を天井１６に取り付け施工できるので、取り付け作業が容易にできるものである。
【００５６】
また、ボールジョイント９に落下防止ワイヤ３６を仮固定できるワイヤ取付部３８を設け、落下防止ワイヤ３６をワイヤ取付部３８に仮固定し、ボールジョイント９を本体吊下金具１２に装着することにより、落下防止ワイヤ３６の引掛部３７が落下防止ワイヤ取付具１７のワイヤ掛着部２８に掛着されることで、落下防止ワイヤ３６がボールジョイント９に仮固定でき、落下防止ワイヤ取付具１７のワイヤ掛着部２８がボールジョイント９の挿入口である本体吊下金具１２の開口側に向いていることで、本体１を設置しながらの落下防止ワイヤ３６の取り付けが容易にできる。
【００５７】
また、落下防止ワイヤ取付具１７のワイヤ掛着部２８は先端が大なるワイヤ抜け防止部２９を備えたことで、ワイヤ抜け防止部２９をもつワイヤ掛着部２８には、本体１設置時には容易に落下防止ワイヤ３６を掛着させることができるとともに、掛着した後には落下防止ワイヤ３６が容易に外れることはないものである。
【００５８】
また、落下防止ワイヤ取付具１７のワイヤ掛着部２８を本体吊下金具１２の外側に設けたことで、落下防止ワイヤ取付具１７のワイヤ掛着部２８が本体吊下具１２の装着空間よりも外にあるために、天井面に吊り下げられた状態を下から見あげたときでも、落下防止ワイヤ３６の掛着状況を外観から容易に確認することができる。
【００５９】
また、落下防止ワイヤ取付具１７に設けた案内部１７ａに嵌合して摺動する案内溝部をボールジョイント９に形成することにより、本体１を本体吊下金具１２に取り付けるときに、落下防止ワイヤ取付具１７とボールジョイント９を嵌合させつつ、水平方向に摺動させることで、挿入方向に対して左右にぶれないようにして、最短経路を通るように案内してボールジョイント９を装着することができる。
【００６０】
（実施の形態２）
本実施の形態において、実施の形態１と同一部分については同一の符号を付し、詳細な説明は省略する。
【００６１】
図１８〜図２１に示すように、落下防止ワイヤ取付具１７Ａは、板金を打ち抜き、さらに折り曲げ加工したもので、ボールジョイント９の挿入側から順次、第１垂直板部１９Ａ、下方向に傾斜した第１傾斜板部４３、第２垂直板部２１Ａ、第２水平板部２２Ａ、第３垂直板部２３Ａにより形成されている。また、落下防止ワイヤ取付具１７Ａの案内部となる第１傾斜板部４３に嵌合するように、ボールジョイント９Ａの案内溝部４０Ａがボールジョイント９Ａの中心より外側に形成されている。
【００６２】
また、本体吊下金具１２Ａは凹球面１３Ａの内側に回り防止突起部４４を設け、ボールジョイント９Ａには回り防止突起部４４が嵌合する回り防止溝部４５を設けている。ボールジョイント９Ａを本体吊下金具１２Ａに装着するときに、落下防止ワイヤ取付具１７Ａの案内部である第１の傾斜板部４３を、ボールジョイント９Ａの案内溝部４０Ａと摺動させ、本体吊下金具１２Ａの位置決め部である第２の垂直板部２１Ａにボールジョイント９Ａが当接し停止した位置で、本体吊下金具１２Ａの回り防止突起部４４にボールジョイント９Ａの回り防止溝部４５が嵌合するものである。また、ボールジョイント９Ａの上部には案内溝部４０Ａに取り付け方向を表示する表示４６を、印字または一体成型した構成としている。
【００６３】
上記構成により、落下防止ワイヤ取付具１７Ａに設けられた案内部に傾斜を設けることで、天井扇取付け位置の直下から離れた場所からの設置を容易に行うことができる。
【００６４】
また、落下防止ワイヤ取付具１７Ａの案内部と、ボールジョイント９Ａの案内溝部４０Ａがボールジョイント９Ａの中心より外側に位置することで、落下防止ワイヤ取付具１７Ａの案内部と、ボールジョイント９Ａの案内溝部４０Ａがボールジョイント９Ａの中心より外側に位置しているので、落下防止ワイヤ取付具１７Ａの案内部とボールジョイント９Ａの案内溝部４０Ａを嵌合させなければ、本体１が設置できないため、設置作業者に対して正規の取り付け方法を促して、安全を確保することができる。
【００６５】
また、本体吊下金具１２Ａの凹球面１３Ａに回り防止突起部４４を備え、ボールジョイント９Ａは回り防止突起部４４が嵌合する回り防止溝部４５を備え、ボールジョイント９Ａを本体吊下金具１２Ａに装着する時に本体吊下金具１２Ａの回り防止突起部４４にボールジョイント９Ａの回り防止溝部４５が嵌合する位置でボールジョイント９Ａを止める位置決め部を備えた落下防止ワイヤ取付具１７Ａを設けたことで、本体１取り付けのときに、ボールジョイント９Ａの案内溝部と落下防止ワイヤ取付具１７Ａの案内部を嵌合させて摺動させると、案内部に設けられた位置決め部により、ボールジョイント９Ａが取り付け位置の直上で、ボールジョイント９Ａの回り防止溝部４５と本体吊下金具１２Ａの回り防止突起部４４が嵌合する向きで止まり、容易にかつ確実にボールジョイント９Ａと凹球面１３Ａを嵌合させ設置することができる。
【００６６】
また、ボールジョイント９Ａは案内溝部４０Ａに取り付け方向を指示する表示４６を印字または一体成型で表示することにより、取付方向が容易に理解できるので、逆方向からの無理な取付操作を防ぎ、正規な取付作業にて安全を確保できるように取り付けることができる。
【産業上の利用可能性】
【００６７】
天井に取り付けた落下防止ワイヤ取付具を用いて容易に安全ワイヤが掛着でき、機器本体に安全ワイヤを取り付けることにより、重量の大きい天井より吊り下げられる機器の安全性の向上の用途にも適用できる。
【図面の簡単な説明】
【００６８】
【図１】本発明の実施の形態１の天井扇風機の組立部材を示す分解図
【図２】同天井扇風機の固定軸にパイプを係合する状態を示す分解斜視図
【図３】同天井扇風機の天井取付部材を示す分解斜視図
【図４】同天井扇風機の固定金具と落下防止ワイヤ取付具を組立状態を示す側面図
【図５】同天井扇風機の落下防止ワイヤ取付具の側面図
【図６】同天井扇風機の落下防止ワイヤ取付具の仮固定部を示す要部拡大図
【図７】同天井扇風機の固定金具の孔を示す要部拡大図
【図８】同天井扇風機の固定金具と落下防止ワイヤ取付具の取付状態を示す要部拡大図
【図９】同天井扇風機の落下防止ワイヤ取付具のワイヤ掛着部を示す要部拡大図
【図１０】同天井扇風機の天井取付部材を組立てた状態を示す外観側面図
【図１１】同天井扇風機の落下防止ワイヤ取付具を天井に取り付けた状態を示す断面図
【図１２】同天井扇風機の落下防止ワイヤ取付具を天井に固定した状態を示す要部断面図
【図１３】同天井扇風機のジョイント部の落下防止ワイヤの取付状態を示す外観斜視図
【図１４】同天井扇風機のジョイント部のワイヤ取付部を示す要部拡大図
【図１５】同天井扇風機の天井取付金具へのジョイント部の取付状態を示す斜視図
【図１６】同天井扇風機の引掛シーリングのある天井面の天井取付部材を示す分解斜視図
【図１７】同天井扇風機のアダプター使用時の組み立て状態を示した側断面図
【図１８】本発明の実施の形態２の落下防止ワイヤ取付具の側面図
【図１９】同天井扇風機の天井取付金具に本体を取り付けた状態を示す要部平面図
【図２０】同天井扇風機のジョイント部の案内溝部を示す要部平面図
【図２１】同天井扇風機の案内溝部と案内部とが嵌合しない状態を示した要部側面図
【図２２】従来の天井扇風機の天井取付部材を組立てた状態を示す断面図
【図２３】同天井扇風機の取付金具の要部斜視図
【符号の説明】
【００６９】
１      本体
２      ファン
６      パイプ（接合管部）
６Ａ    パイプ（接合管部）
９      ボールジョイント（ジョイント部）
９Ａ    ボールジョイント（ジョイント部）
１２    本体吊下金具
１２Ａ  本体吊下金具
１３    凹球面
１３Ａ  凹球面
１５    固定金具
１５Ａ  固定金具
１６    天井
１７    落下防止ワイヤ取付具
１７Ａ  落下防止ワイヤ取付具
１７ａ  案内部
１８    仮固定部
２８    ワイヤ掛着部
２９    ワイヤ抜け防止部
３１    天井固定部
３４    スペーサー（補助部材）
３６    落下防止ワイヤ
３７    引掛部
３８    ワイヤ取付部
４０    案内溝部
４０Ａ  案内溝部
４４    回り防止突起部
４５    回り防止溝部
４６    表示
【図１】
0005092837.tif 000002
【図２】
0005092837.tif 000003
【図３】
0005092837.tif 000004
【図４】
0005092837.tif 000005
【図５】
0005092837.tif 000006
【図６】
0005092837.tif 000007
【図７】
0005092837.tif 000008
【図８】
0005092837.tif 000009
【図９】
0005092837.tif 000010
【図１０】
0005092837.tif 000011
【図１１】
0005092837.tif 000012
【図１２】
0005092837.tif 000013
【図１３】
0005092837.tif 000014
【図１４】
0005092837.tif 000015
【図１５】
0005092837.tif 000016
【図１６】
0005092837.tif 000017
【図１７】
0005092837.tif 000018
【図１８】
0005092837.tif 000019
【図１９】
0005092837.tif 000020
【図２０】
0005092837.tif 000021
【図２１】
0005092837.tif 000022
【図２２】
0005092837.tif 000023
【図２３】
0005092837.tif 000024